(57)【要約】【課題】車両などに搭乗する際には、シート（座席部）が濡れたり汚れたりするのを防止することのできる、シートカバー兼用レジャー用コートを提供する。【解決手段】前身頃(front panel)と後ろ身頃(back panel)からなり、(1)着用者の上半身と一部の下半身をカバーして保護したり、シートのシートパッドと背もたれをカバーしたりするコート本体と、(2)前記コート本体の後ろ身頃の上部から延びて、着用者の頭をカバーして保護したり、シートのヘッドレストに装着されたりするフード部と、(3)前記コート本体の後ろ身頃の下部に折り畳み可能に設けられ、シートのシートパッドの一領域をカバーする折り畳み部と、(4)前記コート本体に繋がり、着用者の両腕をカバーして保護したり、シートの背もたれに結束されたりする一対の袖と、(5)前記一対の袖に設けられ、シートの背もたれに結束される前記一対の袖を互いに結着させる結着手段とを含む。【選択図】図１
2020026606.tif 000002
【特許請求の範囲】
【請求項１】
前身頃（ｆｒｏｎｔ ｐａｎｅｌ）と後ろ身頃（ｂａｃｋ ｐａｎｅｌ）からなり、着用者の上半身と一部の下半身をカバーして保護したり、シートのシートパッドと背もたれをカバーしたりするコート本体と、
前記コート本体における少なくとも後ろ身頃の上縁から延び、着用者の頭をカバーして保護したり、シートのヘッドレストに装着されたりするフード部と、
前記コート本体の後ろ身頃の下部に重ね合わさるようにして折り畳みが可能に設けられ、シートのシートパッドの一領域をカバーする折り畳み部と、
前記コート本体に繋がり、着用者の両腕をカバーして保護したり、シートの背もたれの背後にて互いに結着されたりする一対の袖と、
前記一対の袖に設けられ、コート本体及び一対の袖がシートの背もたれに結束されるように、背もたれの背後にて前記一対の袖を結着させる結着手段と、
を含む、シートカバー兼用レジャー用コート。
【請求項２】
前記結着手段は、雌雄フック、面ファスナー、両面テープ、スナップボタン、及びチャックのうちの何れか１つであることを特徴とする請求項１に記載のシートカバー兼用レジャー用コート。
【請求項３】
前記一対の袖には、前記結着手段を収納するポケットが形成されることを特徴とする請求項１に記載のシートカバー兼用レジャー用コート。
【請求項４】
前記折り畳み部に設けられ、前記折り畳み部がシートのシートパッドに対して滑ってずれないようにする滑り止めパッドを更に含むことを特徴とする請求項１に記載のシートカバー兼用レジャー用コート。
【発明の詳細な説明】
【技術分野】
【０００１】
本発明はシートカバー兼用のレジャー用コートに関し、より詳細には、レジャー活動の後に着用したレジャーコートを車両のシート（座席部）などに装着し、シートが汚れるのを防止しながら使用できるシートカバー兼用のレジャー用コートに関する。
【背景技術】
【０００２】
近年、レジャースポーツの活性化に伴い、多くの人が、レジャースポーツに関心を寄せているのはもちろんのこと、直接に楽しんでいるというのが現状である。
【０００３】
このようなレジャースポーツの一種として、水上で楽しめるウィンドサーフィン、ウエイクボード(wakeboard)、ジェットスキー、水上スキーなどの水上レジャー活動が広く行われている。
【０００４】
このような水上レジャー活動中に、身体が濡れた状態で大気にさらされるのを防ぐか、又は冷たい風などによる体温の損失を防ぐために、通常、レジャー用コートを着用する。
【０００５】
一方、水上レジャー活動の後、体温の急激な損失を防止するために車両などに直ちに搭乗する場合もあり、水上レジャー活動のうち、海水面上での活動の場合、不特定の海辺で活動が行われることが多く、四季のうち夏を除いた三つの季節には、海水面上でのレジャー活動のために着用したウェットスーツ（サーフィンスーツ、潜水服など）を脱衣したり、身体を洗ったりすることのできる施設の不在により、水上レジャー活動者が水に濡れた状態で車両のシートに着席することによって、車両のシートが濡れたり、汚れてしまうという問題がある。
【０００６】
そのため、通常時には車両用シートカバーとして装着され、日常生活で発生し得る車両内部の汚染と、使用者が濡れた状態で車両などに搭乗する際に発生する汚染の防止はもちろんのこと、簡単に洗濯可能であり、レジャー活動中には、シートに装着されているカバー機能の状態から、容易に結合部位を解除して、体温を維持すると共に身体を保護するために着用することのできるレジャー用コートが要求されているのが現状である。
【先行技術文献】
【特許文献】
【０００７】
【特許文献１】韓国公開特許公報第１０-２０１３-０１２５９５０号
【発明の概要】
【発明が解決しようとする課題】
【０００８】
そこで、本発明は上記事情に鑑みてなされたものであって、その目的は、レジャー活動中には体温を維持すると共に身体を保護するために着用することができ、車両などに搭乗する際には、シートに装着し、シートが汚れるのを防止しながら使用できるシートカバー兼用のレジャー用コートを提供することにある。
【課題を解決するための手段】
【０００９】
本発明の目的は、前身頃（ｆｒｏｎｔ ｐａｎｅｌ）と後ろ身頃（ｂａｃｋ ｐａｎｅｌ）からなり、(1)着用者の上半身と一部の下半身をカバーして保護したり、シート（乗り物の座席）のシートパッドと背もたれをカバーしたりするコート本体と、(2)前記コート本体の後ろ身頃の上部から延び、着用者の頭をカバーして保護したり、シートのヘッドレストに装着されたりするフード部と、(3)前記コート本体の後ろ身頃の下部に折り畳み可能に設けられ、シートのシートパッドの一領域をカバーする折り畳み部と、(4)前記コート本体に繋がり、着用者の両腕をカバーして保護したり、シートの背もたれに結束されたりする一対の袖と、(5)前記一対の袖に設けられ、シートの背もたれに結束される前記一対の袖を互いに結着させる結着手段とを含む、シートカバー兼用レジャー用コートにより達成される。
【００１０】
ここで、前記結着手段は、雌雄フック、面ファスナー、両面テープ、スナップボタン、チャックのうちの何れか１つでありうる。
【００１１】
前記一対の袖には、前記結着手段を収納するポケットが形成されうる。
【００１２】
前記折り畳み部に設けられ、前記折り畳み部が、シートのシートパッドに対して滑ってずれないように密着させる滑り止めパッドを更に含むことができる。
【発明の効果】
【００１３】
本発明によれば、レジャー活動中には体温を維持すると共に、身体を保護するために着用することができ、車両などに搭乗する際にはシートに装着してシートが汚れるのを防止して使用することができるという効果を奏する。
【図面の簡単な説明】
【００１４】
【図１】本発明の一実施形態に係るシートカバー兼用のレジャー用コートの正面図である。
【図２】本発明の一実施形態に係るシートカバー兼用のレジャー用コートの前身頃を左右に開いて広げた状態を示す図である。
【図３】図２の折り畳み部を折り畳み解除した状態を示す図である。
【図４】本発明の一実施形態に係るシートカバー兼用レジャー用コートを車両のシートに装着した状態を示す図である。
【図５】図４の背面図である。
【発明を実施するための形態】
【００１５】
本発明の利点及び特徴、そしてそれらを達成する方法は、添付の図面と共に詳細に後述されている実施形態を参照すれば明確になるはずである。しかし、本発明は以下で開示される実施形態に限定されるものではなく、互いに異なる多様な形態で実現することができる。但し、本実施形態は本発明の開示を完全なものにし、本発明が属する技術分野における通常の技術者に本発明の範疇を完全に理解させるために提供される。
【００１６】
本明細書で用いられた用語は、実施形態を説明するためのものであり、本発明を制限しようとするものではない。本明細書において、単数型は特に言及しない限り複数型も含む。明細書で用いられる「含む（ｃｏｍｐｒｉｓｅｓ）」及び／又は「含んでいる（ｃｏｍｐｒｉｓｉｎｇ）」は、言及された構成要素以外に１つ以上の他の構成要素の存在又は追加を排除しない。明細書全体に亘って同一の図面符号は同一の構成要素を示し、「及び／又は」は言及された構成要素のそれぞれ及び１つ以上のあらゆる組み合わせを含む。たとえ、「第１」、「第２」などが多様な構成要素を叙述するために用いられていても、これらの構成要素はこれらの用語により制限されないのはもちろんである。これらの用語は、単に１つの構成要素を他の構成要素と区別するために用いる。従って、以下で言及される第１構成要素は、本発明の技術的思想内で第２構成要素であるということもありうる。
【００１７】
他の定義がなければ、本明細書で用いられる全ての用語（技術及び科学的用語を含む）は、本発明が属する技術分野における通常の技術者が共通して理解できる意味として使用され得る。また、一般に用いられる辞典に定義されている用語は、明白に特に定義されていない限り、理想的に又は過度に解釈されない。
【００１８】
以下、添付の図面を参照し、本発明について詳細に説明する。
【００１９】
説明に先立ち、本発明に係る技術的思想は、サーフィンなどの水上レジャー活動に広く用いられるサーフィンコートだけでなく、一般のレジャー活動に用いられる通常のレジャー用コートに適用され得ることを予め明らかにしておく。
【００２０】
図１〜図３には、本発明の一実施形態に係るシートカバー兼用のレジャー用コートが示されている。
【００２１】
これらの図面に示されているように、本発明の一実施形態に係るシートカバー兼用のレジャー用コート１は、コート本体１０と、フード部２０と、折り畳み部３０と、一対の袖４０と、結着手段を含む。
【００２２】
コート本体１０は、前身頃（１１、ｆｒｏｎｔ ｐａｎｅｌ）と後ろ身頃（１７、ｂａｃｋ ｐａｎｅｌ）からなる。
【００２３】
コート本体１０は、着用者に着用されて着用者の上半身と一部の下半身をカバーして保護する。
【００２４】
前身頃１１は、着用者がコート本体１０を身体に重ね合わせることができるように左右に分割形成される。特には、着用者の正中線に沿って左右に等分されて形成される。本実施形態では左右に分割された前身頃１１がチャック（ジッパー；スライドファスナー）１３により閉じ合わされるものと示されているが、チャック１３の代りにボタンなどにより閉じ合わされるようにすることもできる。
【００２５】
また、前身頃１１には、小物などを収納するための複数のポケット１５が設けられうる。
【００２６】
このようなコート本体１０は、着用者の臀部まで覆う程度の長さを有するか、又は膝部位まで覆う程度の長さを有するか、又は膝下まで覆（おお）える程度の長さを有することもできる。
【００２７】
一方、このようなコート本体１０は、一例として車両のシート１００に装着するとき、シート１００のシートパッド１０１と背もたれ１０５をカバーする。
【００２８】
フード部２０は、コート本体１０における、少なくとも後ろ身頃１７の上縁から延び、着用者の頭をカバーして保護する。図示の例では、後ろ身頃１７及び前身頃１１の上縁の全体から上方に延びるとともに、顔だけを露出させる開口部を形成するようになっている。
【００２９】
一方、このようなフード部２０は、車両のシート１００に装着するとき、シート１００のヘッドレスト１１１に装着される。すなわち、フード部２０は、着用時の状態から折り返されることなく、シートの前方側からヘッドレスト１１１に覆いかぶさるように、装着される。  
【００３０】
折り畳み部３０は一定の長さと幅を有し、コート本体１０の後ろ身頃１７の下端から延びて、後ろ身頃１７の下部に重なるように折り畳むことが可能に設けられる。
【００３１】
レジャー用コートとしての初期状態にて、折り畳み部３０の両端部と、コート本体１０の後ろ身頃１７の裏地に接する部分とは、チャック（ジッパー）３３で結着されて堅固さが保持される。
【００３２】
このように、折り畳み部３０をチャック３３で結着することによって、シートカバー兼用レジャー用コート１を着用するとき、コート本体１０の前面に形成されたポケット１５に収納し難い大きい携帯用のものなどを収納できるようになる。
【００３３】
また、折り畳み部３０は、着用者がシートカバー兼用のレジャー用コート１を着用するとき、コート本体１０の後ろ身頃１７から分離されないように、折り畳み部３０の先端部の中央領域にスナップボタン３１や面ファスナーなどを設けておき、折り畳み部３０を上方に折り返して、コート本体１０の後ろ身頃１７に、スナップボタン３１などにより結着することもできる。
【００３４】
一方、このような折り畳み部３０は、車両のシート１００に装着するとき、コート本体１０の後ろ身頃１７に重ね合わされた状態から開いて折り畳み解除した後、シート１００のシートパッド１０１の一領域、例えば、図４に示されているように、シートパッド１０１の前面、及び上面の前方端部をカバーする。
【００３５】
また、コート本体１０の後ろ身頃１７に向かう折り畳み部３０の一領域には滑り止めパッド３５が設けられている。
【００３６】
このような滑り止めパッド３５は、折り畳み部３０を車両のシート１００に装着するとき、シート１００のシートパッド１０１に対して密着されるようにするなどしてコート本体１０がシートパッド１０１から滑って、ずれ動くのを防止する役割を果たす。滑り止めパッド３５は、例えば、粘着テープや粘着パッド、面ファスナー、または、エラストマー製の粘着性のシートやメッシュなどにより形成することができる。
【００３７】
一対の袖４０は、コート本体１０の前身頃１１と後ろ身頃１７との間に繋がっており、着用者の両腕をカバーして保護する。
【００３８】
一方、このような一対の袖４０は、車両のシート１００に装着するとき、図５に示されているように、シート１００の背もたれ１０５に結束される。
【００３９】
結着手段５１、５３は一対の袖４０に設けられ、シート１００の背もたれ１０５に結束される一対の袖４０を結着させる。
【００４０】
一対の雌雄フック５１、５３を結合して、コート本体１０が、使用者の動きによってシート１００から捩（ねじ）れたり離脱したりするのを防止する役割を果たす。
【００４１】
一対の袖４０のうちの何れか１つには、雄フック５１が設けられており、残りの１つには、雄フック５１がフック結合される雌フック５３が設けられている。雄フック５１及び雌フック５３は、種々のバックル（buckle）などにより設けることができる。図示の例では、サイドリリースタイプ（外す際に両側の突出部を押し込むタイプ）のバックルであるが、フロントリリースタイプ（外す際に前面のボタンを押し込むタイプ）でもよく、ナスカン（loop clutch）、ピンバックル、布ベルト用バックルなどでも良い。
【００４２】
一方、レジャー用コートとしての初期状態にて、このような雄フック５１と雌フック５３は、左右の袖４０にそれぞれ設けられたポケット４５に収納されている。
【００４３】
このように、一対の袖４０にポケット４５を形成することによって、シートカバー兼用レジャー用コート１を着用する際に、雄フック５１と雌フック５３が外部へ露出しないようになっており、シートカバー兼用レジャー用コート１の外観が綺麗になる。
【００４４】
本実施形態では結着手段として、雌雄フック５１、５３が設けられているが、これに限定されず、結着手段として面ファスナー、両面テープなどの粘着テープ・パッド、スナップボタン（snap fastener）、及びチャック（ジッパー）のうちの何れか１つが設けられうる。
【００４５】
一方、本発明の一実施形態に係るシートカバー兼用レジャー用コート１は、風雨に強いことから、防水及び防風機能に優れており、軽く、かつ砂が付いても簡単に除去できるネオプレン（クロロプレン）素材からなることが好ましい。詳しくは、ネオプレン（クロロプレン）などのエラストマーの発泡シート（foamed sheet）の少なくとも一方の面、特には裏面に布地（裏地）が接合されており、エラストマーの発泡シートは、独立気泡であるか、または、少なくとも一方の面、特には表側（外側）の面の表層が非透水性となっている。レジャー用コート１の生地の厚みは、例えば１〜３ｍｍ、特には２ｍｍであり、生地を構成する材料は、一具体例において、発泡層をなすネオプレン８０重量％、裏地をなすための、ナイロン５重量％、ポリエステル１０重量％、及びスパンデックス５重量％である。
【００４６】
また、コート本体１０の裏地を起毛保温材として一体に形成するか、又は起毛保温材の布を脱着可能に構成し、保温性を向上させることができる。
【００４７】
このような構成により、日頃のレジャー活動中にはシートカバー兼用レジャー用コート１を着用し、体温を保つと共に、身体を保護する。
【００４８】
一方、本発明の一実施形態に係るシートカバー兼用レジャー用コート１を車両のシート１００に装着して使用しようとする際には、折り畳み部３０を、コート本体１０から折り畳み解除して広げた後、図４に示されているように、フード部２０の裏地がヘッドレスト１１１の表面に接するように、フード部２０をシート１００のヘッドレスト１１１に装着する。
【００４９】
そして、コート本体１０における後ろ身頃１７の裏地が背もたれ１０５とシートパッド１０１の側を向くようにして、コート本体１０をシートパッド１０１と背もたれ１０５に被せるとともに、折り畳みを解除して広げられた折り畳み部３０をシートパッド１０１の前面部分に密着させる。なお、図示の例であると、前身頃１１も、上端部を除き、後ろ身頃１７と重ね合わされて、背もたれ１０５の前面、及びシートパッド１０１との上面をカバーしている。
【００５０】
そして、図５に示されているように、一対の袖４０を背もたれ１０５の後方に配置した後、一対の袖４０のポケット４５に収納された雌雄フック５１、５３を取り出して互いにフック結合して一対の袖４０を結着させる。このようにして、シートカバー兼用レジャー用コート１をシート１００の背もたれ１０５に結束することで、シートカバー兼用レジャー用コート１を車両のシート１００に装着する操作を完了する。
【００５１】
このように、シートカバー兼用レジャー用コート１を車両のシート１００に装着すると、車両搭乗者が水上レジャー活動の後に身体が水に濡れた状態で車両のシート１００に着席しても、シート１００が水により濡れたり、汚れるのを防止できるようになる。
【００５２】
以上、添付の図面を参照して本発明の実施形態を説明したが、本発明が属する技術分野における通常の技術者は、本発明がその技術的思想や必須な特徴を変更することなく、他の具体的な形態で実施できるということが理解できるはずである。従って、以上で記述した実施形態はあらゆる面で例示的なものであり、制限的ではないものとして理解すべきである。
【符号の説明】
【００５３】
１    シートカバー兼用レジャー用コート
１０    コート本体
１１    前身頃
１７    後ろ身頃
２０    フード部
３０    折り畳み部
４０    袖
５１    雄フック
５３    雌フック
１００    シート
１０１    シートパッド
１０５    背もたれ
１１１    ヘッドレスト
【図１】
2020026606.tif 000003
【図２】
2020026606.tif 000004
【図３】
2020026606.tif 000005
【図４】
2020026606.tif 000006
【図５】
2020026606.tif 000007